(57)【要約】【課題】地下水位の変動に対応することができる。【解決手段】土壌Ｇに掘削されていてストレーナー１１が設けられた揚水井戸２と、ストレーナー１１の孔部（開口部）１１ａを閉塞可能なストレーナー閉塞部材１２と、孔部１１ａから揚水井戸２に流入した地下水Ｗおよび油分Ｏを揚水するポンプ３と、ポンプ３で揚水された地下水Ｗおよび油分Ｏを分離する油水分離器４と、揚水井戸２の近傍に設けられて土壌Ｇの地下水位を観測する地下水位観測井戸５とを備える。ストレーナー閉塞部材１２は、閉塞する孔部１１ａの高さを調整可能である。【選択図】図１
2011122326.tif 000002
【特許請求の範囲】
【請求項１】
土壌から地下水中に混入した油分を回収する装置であって、
前記土壌に掘削されていてストレーナーが設けられた揚水井戸と、
前記ストレーナーの開口部を閉塞可能なストレーナー閉塞部材と、
前記開口部から前記揚水井戸に流入した地下水および油分を揚水するポンプと、
前記ポンプで揚水された地下水および油分を分離する油水分離器と、
前記揚水井戸の近傍に設けられて前記土壌の地下水位を観測する地下水位観測井戸とを備え、
前記ストレーナー閉塞部材は、閉塞する前記開口部の高さを調整可能であることを特徴とする油汚染地下水の油分回収装置。
【請求項２】
前記ストレーナー閉塞部材は、地下水位よりも下方に位置する前記開口部を閉塞することを特徴とする請求項１に記載の油汚染地下水の油分回収装置。
【請求項３】
前記ストレーナー閉塞部材は、前記ストレーナー内部に設けられた筒状の部材であって、前記ストレーナーの内面に沿って上下方向にスライド可能であることを特徴とする請求項１または２に記載の油汚染地下水の油分回収装置。
【請求項４】
前記ストレーナー閉塞部材は、前記ストレーナー内部に設けられた筒状の部材であって、前記ストレーナーの内面に沿って上下方向に伸縮可能であることを特徴とする請求項１または２に記載の油汚染地下水の油分回収装置。
【発明の詳細な説明】
【技術分野】
【０００１】
本発明は、油汚染地下水に存在する油分を回収する装置に関する。
【背景技術】
【０００２】
従来、油分に汚染された土壌から地下水に混入した油分や、この油分が地下水面上に浮遊して形成された油層を回収するために、地下水および油分を揚水して油分を回収している。
一般的には、対象となる土壌に揚水井戸を施工し、揚水井戸内に流入した地下水を水中ポンプで揚水して地下水位を低下させ、低下した地下水面に集められた油分をオイルスキマーで回収している。オイルスキマーは、その油取り込み口を地下水面に合わせて設置され、油取り込み口に設けられた特注なフィルターに油分のみを通過させて収容し、収容した油分を回収する仕組みである。
また、地下水面付近の油分を除去するために、地下水面付近に焼きつきの無いエア駆動ポンプを設置し、油分と地下水とを同時に汲み上げて、地下水と油分とを分離し油分を回収する方法も行われている。
【０００３】
また、特許文献１によれば、油などの汚染物質に汚染された土壌に水などの搬送用流体を供給して土壌から汚染物質を洗い流し、これと前後して地下水位よりも下方に設置された揚水ポンプを作動させ、搬送用流体と共に流れ込んだ汚染物質を含む地下水を揚水して、汚染物質を除去する汚染物質の原位置浄化方法が開示されている。
【先行技術文献】
【特許文献】
【０００４】
【特許文献１】特開２００４−７４１５８号公報
【発明の概要】
【発明が解決しようとする課題】
【０００５】
しかしながら、従来の地下水の油分回収装置や方法では以下のような問題があった。
オイルスキマーは、特殊なフィルターにより油分を選択的に回収できるが、地下水面上に油分が少ない場合には油分の回収効率が低下するという問題があった。
また、エア駆動ポンプは、高額であると共に、容易に上下方向の移動ができず、地下水位の変動に対応できなかった。
また、特許文献１による汚染物質の原位置浄化方法では、油以外の汚染物質も収容するため、揚水ポンプを地下水位よりも下方で、地下水が流入する中空管の底部近傍に位置させているので、変動する地下水面上付近の油分を効率よく回収できなかった。
【０００６】
本発明は、上述する問題点に鑑みてなされたもので、地下水位が変動しても地下水面付近の油分を回収できる油分回収装置を提供することを目的とする。
【課題を解決するための手段】
【０００７】
上記目的を達成するため、本発明に係る油汚染地下水の油分回収装置は、土壌から地下水中に混入した油分を回収する装置であって、前記土壌に掘削されていてストレーナーが設けられた揚水井戸と、前記ストレーナーの開口部を閉塞可能なストレーナー閉塞部材と、前記開口部から前記揚水井戸に流入した地下水および油分を揚水するポンプと、前記ポンプで揚水された地下水および油分を分離する油水分離器と、前記揚水井戸の近傍に設けられて前記土壌の地下水位を観測する地下水位観測井戸とを備え、前記ストレーナー閉塞部材は、閉塞する前記開口部の高さを調整可能であることを特徴とする。
また、本発明に係る油汚染地下水の油分回収装置では、前記ストレーナー閉塞部材は、地下水位よりも下方に位置する前記開口部を閉塞することを特徴とする。
【０００８】
本発明では、ストレーナーの開口部から揚水井戸内に流入した地下水および油分をポンプで揚水し、地下水と油分とを分離して油分を回収している。そして、ストレーナー閉塞部材は、閉塞する開口部の高さを調整可能であることにより、土壌中の任意の高さより上方に存在する地下水および油分を揚水井戸内に流入させることができる。
また、地下水位観測井戸によって測定された地下水位よりも下方に位置するストレーナーの開口部を閉塞することで、地下水面付近の地下水および油分が揚水井戸内に流入するので、地下水面付近に多く存在する油分を回収することができる。
【０００９】
また、本発明に係る油汚染地下水の油分回収装置では、前記ストレーナー閉塞部材は、前記ストレーナー内部に設けられた筒状の部材であって、前記ストレーナーの内面に沿って上下方向にスライド可能であることを特徴とする。
本発明では、ストレーナー閉塞部材は、ストレーナー内部に設けられた筒状の部材であって、ストレーナーの内面に沿って上下方向にスライド可能であることにより、筒体を任意の高さにスライドさせて筒体と重なる開口部を閉塞することができる。
【００１０】
また、本発明に係る油汚染地下水の油分回収装置では、前記ストレーナー閉塞部材は、前記ストレーナー内部に設けられた筒状の部材であって、前記筒体は上下方向に伸縮可能であることを特徴とする。
本発明では、ストレーナー閉塞部材は、ストレーナー内部に設けられた筒状の部材であって、ストレーナーの内面に沿って上下方向に伸縮可能であることにより、筒体を任意の高さに伸縮させて筒体と重なる開口部を閉塞することができる。
【発明の効果】
【００１１】
本発明によれば、ストレーナー閉塞部材が閉塞するストレーナーの開口部の高さを調整可能であることにより、土壌中の任意の高さに存在する地下水および油分を揚水井戸内に流入させることができるので、地下水位が変動した場合にも、この変動に合わせて地下水面付近の開口部は開口させ、これより下方の開口部をストレーナー閉塞部材で閉塞して、地下水面付近に多く存在する油分を回収することができる。
【図面の簡単な説明】
【００１２】
【図１】本発明の第一の実施の形態による油汚染地下水の油分回収装置の一例を示す図である。
【図２】本発明の第二の実施の形態による油汚染地下水の油分回収装置の一例を示す図である。
【発明を実施するための形態】
【００１３】
以下、本発明の第一の実施の形態による油汚染地下水の油分回収装置について、図１に基づいて説明する。
図１に示すように、第一の実施の形態による油汚染地下水の油分回収装置１は、土壌Ｇから地下水Ｗ中に混入した油分Ｏを回収するための装置であって、土壌Ｇに掘削された揚水井戸２と、揚水井戸２内の地下水Ｗおよび油分Ｏを揚水するポンプ３と、ポンプ３で揚水された地下水Ｗと油分Ｏとを分離する油水分離器４と、揚水井戸２の近傍に設けられて土壌Ｇの地下水位を観測する地下水位観測井戸５とから概略構成される。
【００１４】
揚水井戸２は、円筒状に形成されていて、高さ方向の中間部に外周面に小径の孔部（開口部）１１ａを多数備えるストレーナー１１が設けられている。地下水Ｗおよび油分Ｏは、ストレーナー１１を通過し濾過されて揚水井戸２内に流入している。
ストレーナー１１の内側にはストレーナー閉塞部材１２が設けられている。ストレーナー閉塞部材１２は、ストレーナー１１の内面に接した状態で上下方向にスライド可能な筒状の部材である。ストレーナー閉塞部材１１は、孔部１１ａと重なると孔部１１ａを塞ぎ、孔部１１ａから揚水井戸２内に地下水Ｗおよび油分Ｏが流入することを阻止する。
ストレーナー閉塞部材１２は、上方から吊り下げられるように設置されていて、図示しない制御部によって上下方向の移動が制御される。
【００１５】
ポンプ３は、揚水井戸２内の地下水Ｗおよび油分Ｏを揚水する公知のポンプで、揚水井戸２内の地下水Ｗおよび油分Ｏを油水分離器４に移動させる。
地下水位観測井戸５は、揚水井戸２の近傍に掘削されている。地下水位観測井戸５にはストレーナーが設置されていて、ストレーナーから内部に地下水が流入する。地下水位観測井戸５には、地下水Ｗの水位を測定する水位モニター１３が設けられている。
【００１６】
次に、上述した第一の実施の形態の油汚染地下水の油分回収装置１による油汚染地下水の油分回収方法について説明する。
まず、地下水位観測井戸５の水位モニター１３で揚水井戸２近傍の地下水位を計測する。そして、ストレーナー閉塞部材１２の上端部が、地下水面Ｗ１よりもやや下側となるようにストレーナー閉塞部材１２をスライドさせる。この位置にストレーナー閉塞部材１２を移動させることによって、地下水面Ｗ１より下側のストレーナー１１の孔部１１ａが閉塞される。
【００１７】
そして、地下水面付近の地下水Ｗおよび油分Ｏは、ストレーナー１１の孔部１１ａから揚水井戸２内に流入し、地下水面Ｗ１よりも下方の地下水Ｗおよび油分Ｏは揚水井戸２内への流入が阻止される。
このとき、油分Ｏは地下水面Ｗ１付近の地下水Ｗに多く混在しているため、ストレーナー１１全体の孔部１１ａから地下水および油分Ｏを揚水井戸２に流入させる場合と比べて、油分Ｏを多く流入させることができる。また、地下水面Ｗ１上には油分Ｏによって油層Ｏ１が形成されているため、油層Ｏ１の油分Ｏも揚水井戸２内に流入する。
【００１８】
地下水Ｗおよび油分Ｏを揚水井戸２内に流入させると共に、揚水井戸２内の地下水Ｗおよび油分Ｏをポンプ３で油水分離器４へ汲み上げ、油水分離器４によって地下水Ｗと油分Ｏとを分離し、油分Ｏを回収する。
【００１９】
ストレーナー閉塞部材１２を下方にスライドさせて、ストレーナー閉塞部材１２が閉塞するストレーナー１１の孔部１１ａを少なくするほど、揚水井戸２内に多くの地下水Ｗおよび油分Ｏが流入する。また、ストレーナー閉塞部材１１でストレーナー１１のすべての孔部１１ａ閉塞することもできて、揚水井戸２への地下水Ｗおよび油分Ｏの流入を中止することができる。
このように、ストレーナー閉塞部材１２を上下にスライドさせることによって、地下水Ｗおよび油分Ｏを間欠的に揚水井戸２に流入させたり、揚水井戸２への地下水Ｗおよび油分Ｏの流入量を調整したりすることができる。
そして、揚水井戸２に間欠的に地下水Ｗおよび油分Ｏを流入させたり、地下水Ｗおよび油分Ｏの揚水井戸２への流入量やポンプ３による揚水量を変化させたりして、地下水位を変動させることができる。
【００２０】
次に、上述した油汚染地下水の油分回収装置１の効果について図面を用いて説明する。
本実施の形態による油汚染地下水の油分回収装置１によれば、ストレーナー閉塞部材１２がスライドしてストレーナー１１の孔部１１ａを所定の高さまで閉塞することができるので、地下水位が変動した場合でも、この地下水位の変動にあわせて地下水面よりも下方のストレーナー１１の孔部１１ａを閉塞でき、地下水面Ｗ１付近の地下水Ｗおよび油分Ｏを回収することができる。そして、地下水面Ｗ１付近には油分Ｏが多く存在するので、効率的に油分Ｏを回収することができる効果を奏する。
また、揚水井戸２内に間欠的に地下水Ｗや油分Ｏを流入させたり、ポンプ３による揚水量を変化させて地下水位を変動させたりすることによって、油分Ｏの回収効果を高めることができる。
【００２１】
次に、第二の実施の形態について、図２に基づいて説明するが、上述の第一の実施の形態と同一又は同様な部材、部分には同一の符号を用いて説明を省略し、第一の実施の形態と異なる構成について説明する。
図２に示すように、第二の実施の形態による油汚染地下水の油分回収装置２１では、ストレーナー閉塞部材２２が、蛇腹式の筒状に形成されている。ストレーナー閉塞部材２２はストレーナー１１の内側に設置されていて、ストレーナー１１の内面に接した状態で上下方向に伸縮可能である。ストレーナー閉塞部材２２は伸縮して孔部１１ａと重なることで孔部１１ａを閉塞している。
そして、ストレーナー閉塞部材２２が伸縮して上下方向の長さが変化することで、閉塞するストレーナー１１の孔部１１ａ高さを設定することができる。
【００２２】
第二の実施の形態による油汚染地下水の油分回収装置２１では、第一の実施の形態による油汚染地下水の油分回収装置と同様の効果を奏する。
【００２３】
以上、本発明による油汚染地下水の油分回収装置の実施の形態について説明したが、本発明は上記の実施の形態に限定されるものではなく、その趣旨を逸脱しない範囲で適宜変更可能である。
例えば、ストレーナー１１は多数の孔部１１ａを備えているが、孔部１１ａに代わって鉛直方向に延びる多数のスリットを備える構成としてもよく、また、網目状のスクリーンなどが設けられた構成としてもよい。いずれの場合も、ストレーナー閉塞部材１２によって地下水Ｗおよび油分Ｏが揚水井戸２内に流入する開口部の高さを調整する。
また、上述した第一の実施の形態では、ストレーナー閉塞部材１２は上方から吊り下げられているが、ストレーナー閉塞部材１２の下側が揚水井戸２に上下方向にスライド可能に保持されていてもよい。
【符号の説明】
【００２４】
１  油汚染地下水の油分回収装置
２  揚水井戸
３  ポンプ
４  油水分離器
５  地下水位観測井戸
１１  ストレーナー
１１ａ  孔部
１２  ストレーナー閉塞機構
Ｇ  土壌
Ｗ  地下水
Ｏ  油分
Ｏ１  油層
【図１】
2011122326.tif 000003
【図２】
2011122326.tif 000004